(57)【特許請求の範囲】
【請求項１】
着脱自在な記録媒体に記録データを記録する記録データの記録方法であって、
前記記録データの前記記録媒体への記録時において、当該記録データの読出しが許可される再生装置を特定するための装置特定用データを、当該記録媒体に記録した前記記録データの読出しよりも先に再生装置によって読み出されて当該再生装置と前記装置特定用データに基づいて特定される再生装置との同一性を判別するための判別用プログラム内に分散させた状態で当該判別用プログラムと共に記録することを特徴とする記録データの記録方法。
【請求項２】
前記記録データの読出しが許可される再生装置に対して付与された識別用ＩＤを前記装置特定用データとして記録することを特徴とする請求項１記載の記録データの記録方法。
【請求項３】
請求項１または２記載の記録データの記録方法に従って、前記記録データと、当該記録データの読出しが許可される再生装置を特定するための前記装置特定用データと、前記判別用プログラムとが記録されていることを特徴とする記録媒体。
【請求項４】
着脱自在な記録媒体に記録データを記録可能に構成された記録装置であって、
前記記録データの読出しが許可される再生装置を特定するための装置特定用データを記憶する特定用データ記憶部と、前記記録媒体に記録した前記記録データの読出しよりも先に再生装置によって読み出されて当該再生装置と前記記録された装置特定用データに基づいて特定される再生装置との同一性を判別するための判別用プログラムを記憶するプログラム記憶部と、前記記録媒体に対して前記記録データを記録する際に、当該記録媒体に記録した前記記録データの読出しよりも先に再生装置によって読み出されて当該再生装置と前記装置特定用データに基づいて特定される再生装置との同一性を判別するための判別用プログラム内に前記装置特定用データを分散させた状態で当該判別用プログラムと共に当該記録媒体に記録する記録制御部とを備えていることを特徴とする記録装置。
【請求項５】
前記特定用データ記憶部は、前記記録データの読出しが許可される再生装置に対して付与された識別用ＩＤを前記装置特定用データとして記憶することを特徴とする請求項４記載の記録装置。
【請求項６】
前記特定用データ記憶部は、前記記録データの読出しが許可される再生装置の製造時に当該再生装置に対して個別的に付与された装置管理番号、当該再生装置におけるデータ入出力インタフェース部に対して個別的に付与されたインタフェース管理番号、および前記データ入出力インタフェース部の動作を制御するための制御プログラムに対して個別的に付与されたプログラム管理番号のいずれかを前記識別用ＩＤとして記憶することを特徴とする請求項５記載の記録装置。
【請求項７】
前記装置特定用データを装置外部から入力するための特定用データ入力部を備え、前記特定用データ記憶部は、前記特定用データ入力部を介して入力された前記装置特定用データを記憶することを特徴とする請求項４から６のいずれかに記載の記録装置。
【請求項８】
前記記録媒体に記録されている前記記録データ、前記判別用プログラムおよび装置特定用データを読み出すデータ読出し部と、前記装置特定用データに基づいて特定される再生装置と当該記録装置との同一性を前記判別用プログラムに従って判別する判別部と、当該判別部の判別結果毎に予め規定された所定処理を実行する制御部とを備えていることを特徴とする請求項４から７のいずれかに記載の記録装置。
【請求項９】
前記データ読出し部を介して前記記録媒体から読み出した前記記録データに基づく再生を実行可能に構成されていることを特徴とする請求項８記載の記録装置。
【発明の詳細な説明】
【０００１】
【発明の属する技術分野】
本発明は、着脱自在な記録媒体（リムーバブルメディア）に対する記録データの記録方法、その記録データが記録された記録媒体、および記録装置に関するものである。
【０００２】
【従来の技術】
一般的に、記録媒体に記録した記録データの不正な書換えや、不正な読出しを防止するための記録データ保護方法として、記録媒体を書込み禁止状態にする方法、記録データの属性を読出し専用属性または不可視属性に設定する方法、および記録データを暗号化する方法などが従来から知られている。しかし、これらの記録データ保護方法を採用したとしても、例えばパーソナルコンピュータなどを用いて記録データの書換えや読出しが比較的容易に行われてしまう。このため、記録データと共に認証用のＩＤを記録媒体に記録させ、記録媒体に対するアクセス時や記録データの読出し時に、記録されている認証用ＩＤを所定の認証処理によって自動的に確認させ、これにより、不正な読み書きを防止する方法が考案されている。
【０００３】
例えば、特開平１０−４９９８６号に開示された記録再生装置は、各種データが予め記録された読出し専用のＲＯＭ領域と、記録データを記録可能なリライタブル領域とを有するパーシャルＲＯＭディスク（以下、「ディスク」ともいう）に対する記録データの記録および読出しを実行可能に構成されている。この場合、この種の記録再生装置は、挿入されたディスクがその記録再生装置によって読み書き可能なディスクタイプであると判別したときにそのディスクに対するアクセスを許可するメディア許可フラグと、所定条件が一致したときに記録データ（バンド）に対する読み書きを許可するバンド許可フラグとからなるリード／ライトフラグによって記録データの読み書きを制限する機能を備えている。また、この種の記録再生装置は、個別的に付与された互いに異なる装置ＩＤを内蔵メモリに記録している。一方、同公報に開示されたディスクには、記録データを保護する機能が付加されたタイプのディスク（以下、「保護機能付きディスク」ともいう）である旨を示すディスクタイプ情報と、記録媒体毎に個別的に付与された記録媒体ＩＤとがディスクの製造時にＲＯＭ領域内に予め記録されている。この場合、記録媒体ＩＤは、記録データの読み書きが許可される記録再生装置（例えば記録データの管理者が所有する記録再生装置）に付与された装置ＩＤに対して所定の対応関係が成立するように規定されている。
【０００４】
この記録再生装置を用いて保護機能付きディスクに記録されている記録データの再生または書換えを行う際には、記録再生装置は、ディスクが装置に挿入されたときに、ディスクタイプ情報を最初に読み出す。この場合、保護機能付きディスクに対応していない記録再生装置では、読み出したデスクタイプ情報を確認した際にディスクタイプエラーとなって、そのディスクに対する読み書きが不能となる。このため、この種の記録再生装置に対しては、記録データの不正な読み書きが防止される。これに対して、読み出したディスクタイプ情報に基づいてディスクが保護機能付きディスクであると判別できた記録再生装置は、そのディスクから記録媒体ＩＤを読み出した後、その記録再生装置に対して付与されている装置ＩＤと比較することにより、規定された対応関係が両ＩＤ間に成立するか否かを判別する。この場合、この記録再生装置が、記録データの読み書きを許可された記録再生装置であるときには、その記録再生装置に付与された装置ＩＤと、記録媒体から読み出した装置ＩＤとの間に規定された対応関係が成立する。したがって、記録再生装置は、対応関係が成立すると判別したときにのみ、メディア許可フラグをオン状態に制御する。これにより、その記録再生装置によるそのディスクへのアクセスが許可され、ディスクへの記録データの新たな書込み、および後述する条件付きでの記録データの読出しが可能な状態となる。これに対して、例えば第三者所有の記録再生装置（記録データの読み書きを許可されていない記録再生装置）では、メディア許可フラグがオフ状態に維持される結果、そのディスクに対するアクセスが許可されず、これにより、記録データの不正な読み書きが防止される。
【０００５】
一方、ディスクに対するアクセスが許可された記録再生装置では、ディスクから記録データを読み出す都度、その記録データに対して設定されているＩＤの入力をユーザーに要求する。この際に、記録データに設定されたＩＤと同じＩＤ（この場合、記録データに設定されたＩＤは、正規なユーザーのみに予め知らされているものとする）が入力されたときには、記録再生装置は、バンド許可フラグをオン状態に制御する。これにより、その記録データの読出しが可能となる。一方、入力されたＩＤが記録データに設定されたＩＤと同一でないときには、記録再生装置は、バンド許可フラグをオフ状態に維持する。この状態では、その記録データの読出しが不能となり、記録データの不正な再生や書換えが防止される。
【０００６】
【発明が解決しようとする課題】
ところが、この記録再生装置による記録データ保護方法には、以下の問題点がある。すなわち、この記録再生装置では、記録データの不正な読み書きを防止するために、ディスクタイプの判別、記録媒体ＩＤと装置ＩＤとの対応関係の判別、および記録データ（バンド）毎のＩＤ確認などの複雑な認証処理を行っている。このため、正規なユーザーがディスクに対する読み書きを行う際にも、複雑な処理を経て各フラグをオン状態に制御しなくてはならず、この認証処理が煩雑であるという問題点が存在する。また、従来の記録再生装置では、装置ＩＤに対して予め規定された対応関係が成立する記録媒体ＩＤをディスクの製造時に書き込んでおく必要があるため、ディスクの製造コストが高騰しているという問題点がある。この場合、特開平７−２１６９７号に開示された情報処理装置では、記録データの記録時に、データの書換えおよび複製が困難な記録エリアに媒体識別データを記録させると共に、媒体識別データの同一性を判別する処理を記述したプログラムを記録データとして記録することにより、不正に複製された記録媒体からのプログラムの起動を禁止している。ところが、この記録データ保護方法には、記録媒体の製造コストを低減することができるものの、記録データ自体がプログラムデータであることを前提としているため、例えばテキストデータ、音声データおよび画像データなどの各種記録データを有効に保護するのが困難であるという問題がある。
【０００７】
本発明は、かかる問題点に鑑みてなされたものであり、記録媒体の製造コストを低減しつつ、複雑な認証処理を必要とせずに記録データの不正な読み書きを防止し得る記録データの記録方法、記録媒体および記録装置を提供することを主目的とする。
【０００８】
【課題を解決するための手段】
上記目的を達成すべく請求項１記載の記録方法は、着脱自在な記録媒体に記録データを記録する記録データの記録方法であって、
前記記録データの前記記録媒体への記録時において、当該記録データの読出しが許可される再生装置を特定するための装置特定用データを、当該記録媒体に記録した前記記録データの読出しよりも先に再生装置によって読み出されて当該再生装置と前記装置特定用データに基づいて特定される再生装置との同一性を判別するための判別用プログラム内に分散させた状態で当該判別用プログラムと共に記録することを特徴とする。
【０００９】
請求項２記載の記録方法は、請求項１記載の記録データの記録方法において、前記記録データの読出しが許可される再生装置に対して付与された識別用ＩＤを前記装置特定用データとして記録することを特徴とする。
【００１０】
請求項３記載の記録媒体は、請求項１または２記載の記録データの記録方法に従って、前記記録データと、当該記録データの読出しが許可される再生装置を特定するための前記装置特定用データと、前記判別用プログラムとが記録されていることを特徴とする。
【００１１】
請求項４記載の記録装置は、着脱自在な記録媒体に記録データを記録可能に構成された記録装置であって、前記記録データの読出しが許可される再生装置を特定するための装置特定用データを記憶する特定用データ記憶部と、前記記録媒体に記録した前記記録データの読出しよりも先に再生装置によって読み出されて当該再生装置と前記記録された装置特定用データに基づいて特定される再生装置との同一性を判別するための判別用プログラムを記憶するプログラム記憶部と、前記記録媒体に対して前記記録データを記録する際に、当該記録媒体に記録した前記記録データの読出しよりも先に再生装置によって読み出されて当該再生装置と前記装置特定用データに基づいて特定される再生装置との同一性を判別するための判別用プログラム内に前記装置特定用データを分散させた状態で当該判別用プログラムと共に当該記録媒体に記録する記録制御部とを備えていることを特徴とする。
【００１２】
請求項５記載の記録装置は、請求項４記載の記録装置において、前記特定用データ記憶部は、前記記録データの読出しが許可される再生装置に対して付与された識別用ＩＤを前記装置特定用データとして記憶することを特徴とする。
【００１３】
請求項６記載の記録装置は、請求項５記載の記録装置において、前記特定用データ記憶部は、前記記録データの読出しが許可される再生装置の製造時に当該再生装置に対して個別的に付与された装置管理番号、当該再生装置におけるデータ入出力インタフェース部に対して個別的に付与されたインタフェース管理番号、および前記データ入出力インタフェース部の動作を制御するための制御プログラムに対して個別的に付与されたプログラム管理番号のいずれかを前記識別用ＩＤとして記憶することを特徴とする。
【００１４】
請求項７記載の記録装置は、請求項４から６のいずれかに記載の記録装置において、前記装置特定用データを装置外部から入力するための特定用データ入力部を備え、前記特定用データ記憶部は、前記特定用データ入力部を介して入力された前記装置特定用データを記憶することを特徴とする。
【００１５】
請求項８記載の記録装置は、請求項４から７のいずれかに記載の記録装置において、前記記録媒体に記録されている前記記録データ、前記判別用プログラムおよび装置特定用データを読み出すデータ読出し部と、前記装置特定用データに基づいて特定される再生装置と当該記録装置との同一性を前記判別用プログラムに従って判別する判別部と、当該判別部の判別結果毎に予め規定された所定処理を実行する制御部とを備えていることを特徴とする。
【００１６】
請求項９記載の記録装置は、請求項８記載の記録装置において、前記データ読出し部を介して前記記録媒体から読み出した前記記録データに基づく再生を実行可能に構成されていることを特徴とする。
【００１７】
【発明の実施の形態】
以下、添付図面を参照して、本発明に係る記録データの記録方法、記録媒体および記録装置の好適な実施の形態について説明する。
【００１８】
最初に、記録再生装置１の構成について、図面を参照して説明する。
【００１９】
図１に示す記録再生装置１は、パーソナルコンピュータ（以下、「パソコン」ともいう）ＰＣなどに接続可能なＵＳＢ（Ｕｎｉｖｅｒｓａｌ  Ｓｅｒｉａｌ  Ｂｕｓ）接続型式の外付けタイプのＣＤ−Ｒドライブであって、光ディスクＯＤに対する各種ディジタルデータの記録および読出しを実行可能に構成されている。この場合、記録再生装置１を含む各種ＵＳＢ接続型式の機器は、個別的に付与された互いに異なるＵＳＢシリアルナンバーを有している。一方、光ディスクＯＤは、本発明における記録媒体に相当し、一例として、市場に流通している汎用のＣＤ−Ｒ（書換え不能な書込み可能ディスク）が用いられている。なお、ＣＤ−Ｒを含むＣＤファミリーとしては、音楽用のＣＤ−ＤＡや各種データ記録済みのＣＤ−ＲＯＭのような書込み不能ディスク、およびＣＤ−ＲＷのような書換え可能な書込み可能ディスクなどが存在する。また、図２に示すように、各種ディジタルデータが記録される光ディスクＯＤは、そのデータ記録領域１１が、最内周部に規定された管理データ記録領域１１ａと、管理データ記録領域１１ａの外周に規定された記録データ記録領域１１ｂとで構成されている。管理データ記録領域１１ａには、記録データ記録領域１１ｂに記録される記録データＤｄ，Ｄｄ・・などについてのＦＡＴデータや、記録再生装置１を含む各種再生装置に光ディスクＯＤが挿入された際に最初に読み出されるデータの記録位置に関する位置データなどからなる管理データＤｘ（一例として「ＴＯＣ（Ｔａｂｌｅ  Ｏｆ  Ｃｏｎｔｅｎｔｓ  ）」または「ＵＴＯＣ（Ｕｓｅｒ  Ｔａｂｌｅ  Ｏｆ  Ｃｏｎｔｅｎｔｓ）」）などが記録される。また、記録データ記録領域１１ｂには、記録データＤｄ，Ｄｄ・・（音声データ、画像データ、音楽データ、テキストデータを初め、各種アプリケーションソフトによって使用者が作成または更新したデータや、各種アプリケーションソフトによって作成されたデータであって使用者が入手したデータなど）や、後述する認証プログラムデータＤＰＳなどが記録される。
【００２０】
一方、図１に示すように、記録再生装置１は、データ入出力部２、データ記録読出し部３、操作部４、制御部５、ＥＥＰＲＯＭ６、ＲＡＭ７およびＲＯＭ８を備えている。データ入出力部２は、ＵＳＢ接続型式のコネクタを備え、そのコネクタを介して接続されたパソコンＰＣからの記録データＤｄの入力、およびパソコンＰＣに対する記録データＤｄの出力を制御部５の制御下で実行する。データ記録読出し部３は、光ディスクＯＤに対してレーザを照射することにより、記録データＤｄ、認証プログラムデータＤＰＳおよび管理データＤｘなどの書込みや読出しを実行する。操作部４は、本発明における特定用データ入力部に相当し、記録再生装置１以外のＵＳＢ接続型式機器に付与されたＵＳＢシリアルナンバーを入力可能なボタンや、記録条件設定用のボタンなどが配設されている。
【００２１】
制御部５は、本発明における記録制御部、制御部および判別部に相当し、データ記録読出し部３を介しての記録データＤｄの記録および読出しを制御すると共に、記録データＤｄの再生時には認証プログラムに従って所定の認証処理を実行する。ＥＥＰＲＯＭ６は、本発明におけるプログラム記憶部に相当し、外部装置を用いて予め作成された認証プログラム（本発明における判別用プログラム）データＤｐを記憶する。この場合、認証プログラムデータＤｐは、記録再生装置１の他に、各種パソコンＰＣによって読出し可能なファイル形式で記録されると共に、読出し完了直後に各種パソコンＰＣによって自動起動されるように記録されている。具体的には、ＡＵＴＯＲＵＮ．ＥＸＥなどのエクゼクタブルファイルや、各種バッチファイルで構成されている。また、ＥＥＰＲＯＭ６は、本発明における特定用データ記憶部としても機能し、操作部４を介して入力された他の再生装置のＵＳＢシリアルナンバー（シリアル番号データＤｓ：本発明における装置特定用データ）を記憶する。ＲＡＭ７は、制御部５の演算結果や、光ディスクＯＤに記録する記録データＤｄおよび光ディスクＯＤから読み出した記録データＤｄを一時的に記憶する。ＲＯＭ８は、本発明における特定用データ記憶部、および前述した内蔵メモリに相当し、記録再生装置１に対して予め付与されたＵＳＢシリアルナンバー（シリアル番号データＤｓ）を記憶すると共に、制御部５の動作プログラムを記憶する。
【００２２】
次に、未使用の光ディスクＯＤにシングルセッション方式で記録データＤｄ（例えば、音声データ）を記録する記録方法、およびその記録方法で光ディスクＯＤに記録された記録データＤｄの再生方法について、各図を参照して説明する。
【００２３】
最初に、図３を参照して、記録再生装置１による記録処理について説明する。この記録再生装置１では、図示しないディスク挿入部に光ディスクＯＤが挿入されると、データ記録読出し部３が制御部５の制御下で光ディスクＯＤの管理データ記録領域１１ａにアクセスする。この際に、未使用の光ディスクＯＤには、その記録媒体がＣＤ−Ｒである旨のディスクタイプ情報などからなる各種情報（この場合、「各種情報」は使用者が直接的に使用する情報ではなく、各種記録装置または再生装置によって使用される情報）のみが管理データ記録領域１１ａに記録されている。したがって、制御部５は、光ディスクＯＤが未使用のＣＤ−Ｒであると判別する。次に、制御部５は、光ディスクＯＤに対する記録方式を選択させるための選択用画面をパソコンＰＣのモニタに表示させて、使用者に対して、データ保護方式または通常の記録方式を選択させる（ステップ２１）。この際に、使用者によって通常の記録方式が選択されたときには、パソコンＰＣから出力された記録データＤｄを光ディスクＯＤの記録データ記録領域１１ｂにデータ記録読出し部３を介して逐次記録し（ステップ２２）、すべての記録データＤｄ，Ｄｄ・・を記録し終えたときに、光ディスクＯＤのセッションをクローズする（ステップ２３）。これにより、ＣＤ−ＲＯＭドライブ、ＣＤ−ＲドライブおよびＣＤ−ＲＷドライブなどによって再生可能なＣＤ−Ｒが作製される。
【００２４】
一方、ステップ２１においてデータ保護方式が選択されたときには、制御部５は、ＥＥＰＲＯＭ６から認証プログラムデータＤｐを読み出すと共にＲＯＭ８からシリアル番号データＤｓを読み出した後、両データに基づいて認証プログラムデータＤＰＳを生成してＲＡＭ７に記憶させる（ステップ２４）。この場合、認証プログラムデータＤＰＳは、その一部としてのシリアル番号データＤｓを認証プログラムデータＤｐの前後いずれかに連結することにより構成される。次に、データ入出力部２を介してパソコンＰＣから入力された記録データＤｄを光ディスクＯＤの記録データ記録領域１１ｂにデータ記録読出し部３を介して逐次記録する（ステップ２５）。
【００２５】
次いで、制御部５は、ＲＡＭ７から認証プログラムデータＤＰＳを読み出すと共に、記録データ記録領域１１ｂにおける記録データＤｄの後ろ（つまり、当該記録データＤｄを含むセッションの最外周部位）に認証プログラムデータＤＰＳを記録する（ステップ２６）。続いて、記録した記録データＤｄおよび認証プログラムデータＤＰＳについてのＦＡＴデータを管理データＤｘの一部として管理データ記録領域１１ａに記録する。さらに、制御部５は、光ディスクＯＤがいずれかの再生装置に挿入された際に最初に読み出されるデータとしての認証プログラムデータＤＰＳの記録位置に関する位置データを管理データＤｘの一部として管理データ記録領域１１ａに記録する。この後、制御部５は、管理データＤｘを記録し終えたときに、光ディスクＯＤのセッションをクローズする（ステップ２７）。以上の記録処理によって、その光ディスクＯＤに対して記録データＤｄを記録した記録再生装置１のみによって記録データＤｄを再生可能なデータ保護方式のＣＤ−Ｒが作製される。
【００２６】
なお、作製したデータ保護方式のＣＤ−Ｒを、記録再生装置１以外のＣＤ−ＲＯＭドライブ、ＣＤ−ＲドライブおよびＣＤ−ＲＷドライブなど（以下、これらを総称して「ドライブ」ともいう）で再生可能に記録することもできる。この際には、まず、記録処理に先立ち、操作部４を操作して、例えば対象となるドライブに付与されているＵＳＢシリアルナンバーを入力する。次いで、制御部５が、入力されたＵＳＢシリアルナンバーに基づいてシリアル番号データＤｓを生成し、ＥＥＰＲＯＭ６に記憶させる。この場合、一例として１０台のドライブに関する１０個のシリアル番号データＤｓ，Ｄｓ・・の記憶が可能に構成されている。一方、記録データＤｄの記録処理時には、制御部５は、ＥＥＰＲＯＭ６から読み出した１または複数のシリアル番号データＤｓと認証プログラムデータＤｐとに基づいて認証プログラムデータＤＰＳを生成してＲＡＭ７に記憶させる。この際に、制御部５は、ＥＥＰＲＯＭ６から読み出した１または複数のシリアル番号データＤｓと共にＲＯＭ８から読み出したシリアル番号データＤｓ（記録再生装置１に関するシリアル番号データＤｓ）を連結して認証プログラムデータＤＰＳを生成してもよい。次いで、制御部５は、記録データＤｄの記録が完了した後に、ＲＡＭ７から読み出した認証プログラムデータＤＰＳを記録する。この後、セッションをクローズすることにより、ＵＳＢシリアルナンバーを予め記憶させたドライブによる再生が可能なＣＤ−Ｒが作製される。これにより、記録再生装置１の所有者である使用者が所有する他のドライブや、ＵＳＢシリアルナンバーが予め判明している第三者所有のドライブによる音声データの読出しが可能となる。
【００２７】
次に、記録再生装置１によってデータ保護方式で記録されたＣＤ−Ｒ内の記録データＤｄを再生する再生処理１〜３について、図面を参照して説明する。
【００２８】
例えば、ＣＤ−ＤＡの再生のみが可能な汎用の音楽再生専用のＣＤプレーヤや、ＣＤ−ＤＡに加えて各種ディスクタイプに対応しているＣＤプレーヤなどの再生専用装置単体で光ディスクＯＤ内の記録データＤｄを再生しようとした際には、図４に示す再生処理１がＣＤプレーヤによって実行される。この再生処理１では、光ディスクＯＤが挿入されると、まず、光ディスクＯＤの管理データ記録領域１１ａからディスクタイプ情報が読み出される（ステップ３１）。この際に、ＣＤ−ＤＡ以外のディスクタイプに対応していないＣＤプレーヤでは、ディスクタイプエラーが発生したものとして（ステップ３２）、再生処理１をエラー終了する。また、ＣＤ−ＤＡに加えて各種ディスクタイプに対応しているＣＤプレーヤでは、管理データＤｘが読み出される（ステップ３３）。この場合、管理データＤｘには、最初に読み出されるデータの記録位置として認証プログラムデータＤＰＳの記録位置が指示されている。このため、ＣＤプレーヤは、記録データ記録領域１１ｂにおける認証プログラムデータＤＰＳの記録位置（つまり、セッションの最外周部位）からデータの読出しを開始する（ステップ３４）。ところが、この種のＣＤプレーヤでは、認証プログラムデータＤＰＳの記述内容を判読することができない。このため、ＣＤプレーヤは、認証プログラムデータＤＰＳを読み出した後、読出しが完了した時点で再生処理１を終了する。この結果、その光ディスクＯＤに記録データＤｄを記録した記録再生装置１以外の再生装置（この場合、ＣＤプレーヤ）による音声（記録データＤｄ）の再生が防止される。
【００２９】
一方、その記録データＤｄを記録した記録再生装置１（または、その記録再生装置１と同型の記録再生装置１）によってその記録データＤｄを再生する際には、記録再生装置１によって図５に示す再生処理２が実行される。この再生処理２では、光ディスクＯＤが挿入されると、制御部５が、最初に、データ記録読出し部３を介して管理データ記録領域１１ａから管理データＤｘを読み出す（ステップ４１）。この場合、最初に読み出すべきデータの記録位置として認証プログラムデータＤＰＳの記録位置が管理データＤｘに指示されている。このため、制御部５は、その指示に従い、記録データ記録領域１１ｂに記録されている認証プログラムデータＤＰＳを読み出す（ステップ４２）。この場合、認証プログラムデータＤＰＳが読出し完了直後に自動起動させるファイル形式で構成されているため、制御部５は、読み出した認証プログラムデータＤＰＳの記述内容を自動実行（認証プログラムの起動）する（ステップ４３）。この際に、制御部５は、最初に、認証プログラムデータＤＰＳの先頭部位に記述された指示に従って認証プログラムデータＤＰＳから認証プログラムデータＤｐを抽出する。
【００３０】
次に、制御部５は、抽出した認証プログラムデータＤｐの記述に従って、記録再生装置１のＲＯＭ８にシリアル番号データＤｓが記録されているか否かを判別した後、ＲＯＭ８からシリアル番号データＤｓを読み出す（ステップ４４）。次いで、ＲＯＭ８から読み出したシリアル番号データＤｓと、認証プログラムデータＤＰＳ内に記録されているシリアル番号データＤｓとが同一であるか否かを判別する（ステップ４５）。この際に、光ディスクＯＤに記録データＤｄを記録した記録再生装置１とは異なる記録再生装置では、両シリアル番号データＤｓ，Ｄｓが互いに異なるデータと判別される。したがって、制御部５は、両シリアル番号データＤｓ，Ｄｓが互いに異なると判別したときには、予め規定された所定処理として「識別用情報が一致しません。このＣＤ−Ｒにデータを記録したドライブで再生して下さい」とのエラーメッセージをパソコンＰＣのモニタに表示させた後（ステップ４６）、再生処理２をエラー終了する。この結果、音声（記録データＤｄ）の不正な再生が防止される。
【００３１】
また、ステップ４５において、両シリアル番号データＤｓ，Ｄｓが同一であると判別したとき、すなわち、その光ディスクＯＤに記録された記録データの再生が許可された再生装置として記録再生装置１が指定されていると判別したときには、予め規定された所定処理として、その光ディスクに記録されている記録データの読出しおよび消去や、記録データＤｄの追加書込み（セッションの追加）を許可する。したがって、制御部５は、データ記録読出し部３を介して記録データＤｄ，Ｄｄ・・を読み出し（ステップ４７）、データ入出力部２を介してパソコンＰＣに出力する（ステップ４８）。この後、パソコンＰＣが、記録再生装置１から出力された記録データＤｄ，Ｄｄ・・に基づいて音声を再生する。この結果、光ディスクＯＤに記録データＤｄ，Ｄｄ・・を記録した記録再生装置１の所有者、つまり、光ディスクＯＤの正規な所有者は、ＩＤ入力などの煩雑な操作を何ら行うことなく、記録されている音声を容易に再生することができる。この場合記録データＤｄに基づく音声の再生を実行可能なパソコンＰＣと記録再生装置１とで本発明における記録装置が構成される。
【００３２】
一方、例えばパソコンＰＣに内蔵されたＣＤ−Ｒドライブ、および記録再生装置１以外の外付けタイプのＣＤ−Ｒドライブなどの各種ディスクタイプや各種データ形式に対応したＣＤ−Ｒドライブに、このデータ保護方式の光ディスクＯＤを挿入した場合、図６に示す再生処理３がパソコンＰＣによって実行される。この再生処理３では、ＣＤ−Ｒドライブが、パソコンＰＣの制御に従い、挿入された光ディスクＯＤの管理データ記録領域１１ａから管理データＤｘを読み出してパソコンＰＣに出力する（ステップ５１）。この際に、パソコンＰＣは、管理データＤｘに記載されている指示に従って認証プログラムデータＤＰＳを読み出す（ステップ５２）。次に、パソコンＰＣは、読み出した認証プログラムデータＤＰＳの記述内容を自動実行（認証プログラムの起動）する（ステップ５３）。この際に、パソコンＰＣは、最初に、認証プログラムデータＤＰＳから認証プログラムデータＤｐを抽出する。
【００３３】
続いて、パソコンＰＣは、認証プログラムデータＤｐの記述に従って、ＣＤ−Ｒドライブの内蔵メモリにシリアル番号データＤｓが記録されているか否かを判別する（ステップ５４）。この場合、そのＣＤ−ＲドライブがＵＳＢ接続型式以外の接続型式（例えば、ＳＣＳＩ接続型式やＩＤＥ接続型式など）のときには、ＵＳＢシリアルナンバー（シリアル番号データＤｓ）が存在しない。したがって、パソコンＰＣは、シリアル番号データＤｓが記録されていないと判別したときには、「識別用情報が一致しません。このＣＤ−Ｒにデータを記録したドライブで再生して下さい」とのエラーメッセージをモニタに表示させた後（ステップ５５）、この再生処理３をエラー終了する。この結果、少なくとも、ＵＳＢ接続型式以外のドライブによる音声（記録データＤｄ）の不正な再生が防止される。
【００３４】
一方、ステップ５４においてシリアル番号データＤｓが記録されていると判別したときには、パソコンＰＣは、そのＣＤ−Ｒドライブからシリアル番号データＤｓを読み出す（ステップ５６）。この際に、ＣＤ−Ｒドライブは、内蔵メモリが記憶しているシリアル番号データＤｓをパソコンＰＣの制御下で読み出して出力する。次に、パソコンＰＣは、読み出したシリアル番号データＤｓと、認証プログラムデータＤＰＳ内に記録されているシリアル番号データＤｓとの同一性を判別する（ステップ５７）。この際に、光ディスクＯＤに記録データＤｄを記録した記録再生装置１とは異なるＣＤ−Ｒドライブでは、両シリアル番号データＤｓ，Ｄｓが互いに異なるデータとなる。このため、ステップ５７において、両シリアル番号データＤｓ，Ｄｓが相異すると必ず判別される。したがって、パソコンＰＣは、「識別用情報が一致しません。このＣＤ−Ｒにデータを記録したドライブで再生して下さい」とのエラーメッセージをモニタに表示させた後（ステップ５５）、再生処理３をエラー終了する。この結果、音声（記録データＤｄ）の不正な再生が防止される。
【００３５】
このように、この記録再生装置１によれば、記録データＤｄを記録する際に、再生が許可される再生装置のＵＳＢシリアルナンバー（シリアル番号データＤｓ）と、所定の認証処理を自動的に実行させる認証プログラム（認証プログラムデータＤｐ）とからなる認証プログラムデータＤＰＳを記録すると共に、認証プログラムデータＤＰＳが最初に読み出されるように指示する管理データＤｘを記録することにより、シリアル番号データＤｓが不一致の再生装置（記録再生装置）に対しては、認証プログラムに従った所定の認証処理を経て記録媒体に対するアクセスまたは記録データの読出しを禁止することができる。また、ＣＤ−ＤＡ以外のディスクタイプに対応していないＣＤプレーヤに対しては、ディスクタイプエラーを発生させて記録データＤｄの読出しを禁止することができる。さらに、認証プログラムデータＤＰＳがセッションの最外周部位に記録されるため、ＣＤ−ＤＡ以外の各種ディスクタイプに対応しているＣＤプレーヤに対しては、認証プログラムデータＤＰＳの読出しが完了した時点で再生処理を終了させることができるため、記録データＤｄの読出しを禁止することができる。これにより、光ディスクＯＤの製造コストを低減しつつ、複雑な認証処理を必要とせず、しかも記録データＤｄ自体を暗号化することなく、記録データＤｄの不正な読み書きを防止することができる。また、光ディスクＯＤに記録された認証プログラムデータＤＰＳの読出しを確実に防止することができるため、その認証プログラムデータＤｐおよびシリアル番号データＤｓの不正な書換えも防止することができる。
【００３６】
さらに、この記録再生装置１によれば、光ディスクＯＤに記録データＤｄを記録する際に認証プログラムデータＤＰＳや管理データＤｘを記録するため、特開平１０−４９９８６号に開示されているパーシャルＲＯＭディスクとは異なり、ディスク製造時に記録媒体ＩＤを記録する工程を不要にできる。この結果、光ディスクＯＤ自体を安価に製造することができる。また、この記録再生装置１によれば、製造時に記録再生装置１に予め付与されているＵＳＢシリアルナンバーをシリアル番号データＤｓとして用いることにより、数多くの記録再生装置１，１・・毎に個別的なＩＤ番号を別途付与する作業を不要にでき、しかも認証処理用のＩＤ番号を記憶させる専用の記憶手段を使用しないため、記録再生装置１を安価に製造することができる。
【００３７】
なお、本発明は、上記した発明の実施の形態に限らず、適宜変更が可能である。例えば、本発明の実施の形態では、ＵＳＢシリアルナンバーを用いてシリアル番号データＤｓを構成した例について説明したが、本発明における識別用ＩＤはこれに限定されず、ＩＥＥＥ１３９４規格（ＦｉｒｅＷｉｒｅ＝シリアルＳＣＳＩ拡張規格）のシリアルナンバーや、ＵＳＢおよびＳＣＳＩなどのインタフェース部を制御する制御プログラムの管理番号（例えば、記録再生装置１における制御部５の動作プログラムの管理番号）や、複数の記録再生装置１，１・・毎に個別的に付与した認証処理専用の識別番号などを用いて構成することができる。また、本発明の実施の形態では、記録データＤｄの後ろ（つまり、当該記録データＤｄを含むセッションの最外周部位）に認証プログラムデータＤＰＳを記録した例について説明したが、本発明における判別用プログラムの記録位置はこれに限定されず、例えば、図２に破線で示すように、光ディスクＯＤにおける記録データ記録領域１１ｂの先頭部位（つまり、当該セッションの最内周部位）や、記録データＤｄ，Ｄｄ・・の間（つまり、当該セッションの最内周部位から最外周部位の間の任意の記録位置）に認証プログラムデータＤＰＳを記録することもできる。また、光ディスクＯＤに対してマルチセッション方式（記録データ記録領域１１ｂを所定数に分割すると共に、複数の管理データＤｘ，Ｄｘ・・を管理データ記録領域１１ａ内に記録する記録方式）で記録データＤｄ，Ｄｄ・・を記録する場合、各セッションに対応する管理データＤｘによって認証プログラムデータＤＰＳの記録位置を指示することができる。この場合、再生を許可する再生装置が各セッション毎に異なるときには、各セッション毎に対応する再生装置を特定可能な装置特定用データ（対応する再生装置に関するシリアル番号データＤｓ、または、そのシリアル番号データＤｓを含む認証プログラムデータＤＰＳ）を記録することができる。さらに、本発明の実施の形態では、記録処理の開始時点で認証プログラムデータＤＰＳを生成してＲＡＭ７に記憶させておく記録方法を例に挙げて説明したが、認証プログラムデータＤＰＳの生成タイミングはこれに限定されず、記録データＤｄの記録が完了した後、記録する直前に認証プログラムデータＤＰＳを生成してもよい。
【００３８】
さらに、本発明の実施の形態では、記録データＤｄとしてディジタル音声データを光ディスクＯＤに記録する例について説明したが、本発明における記録データは、ディジタル音声データに限定されず、動画および静止画の画像データ、数値データ、テキストデータなどの各種ディジタルデータであってもよいのは勿論である。また、ディジタル音声データである記録データＤｄについても、パソコンＰＣから出力された記録データＤｄに限定されず、マイクを介して集音したアナログ音声信号をディジタル変換したディジタル音声データや、パソコンＰＣ以外の装置やシステムから出力されたディジタル音声データ（例えば、通信端末を介して取得したディジタル音声データや、アナログ信号入力用Ｉ／Ｆを介して入力したアナログ音声信号に基づいて生成したディジタル音声データなど）であってもよい。
【００３９】
また、本発明の実施の形態では、記録再生装置１に付与されたＵＳＢシリアルナンバーについてのシリアル番号データＤｓ、および操作部４を操作して入力したＵＳＢシリアルナンバーについてのシリアル番号データＤｓを本発明における識別用ＩＤとして用いる例について説明したが、本発明はこれに限定されない。例えば、パソコンＰＣから出力したシリアル番号データＤｓ，Ｄｓ・・をＥＥＰＲＯＭ６に記憶させ、そのシリアル番号データＤｓ，Ｄｓ・・を識別用ＩＤとして用いることができる。この場合、パソコンＰＣを介して接続されたネットワーク上のドライブについてのシリアル番号データＤｓをＥＥＰＲＯＭ６に予め記憶させておくことにより、そのドライブを用いての記録データＤｄの再生が可能となる。さらに、本発明の実施の形態では、シリアル番号データＤｓを認証プログラムデータＤｐの前後いずれかに連結してシリアル番号データＤｓを記録する記録方法を例に挙げて説明したが、本発明はこれに限定されず、認証プログラムデータＤＰＳの一部として認証プログラムデータＤｐ内にシリアル番号データＤｓを分散させて記録する記録方法や、認証プログラムデータＤｐおよびシリアル番号データＤｓを別個独立したファイルとして記録する記録方法を採用することもできる。この場合、認証プログラムデータＤｐ内にシリアル番号データＤｓを分散させて記録する記録方法によれば、シリアル番号データＤｓを容易には解析できないように構成することができる。
【００４０】
さらに、本発明の実施の形態では、パソコンＰＣに接続可能な外付け型のＣＤ−Ｒドライブとしての記録再生装置１を例に挙げて説明したが、本発明における記録装置は、パソコンＰＣなどに接続可能な外部装置としての記録装置のみならず、パソコンＰＣに内蔵可能な内蔵型ＣＤ−Ｒドライブや、音楽ＣＤ−Ｒの作製および再生が装置単体で可能なＣＤレコーダなどにも適用することができる。また、本発明における記録媒体についても、ＣＤ−Ｒ（光ディスクＯＤ）のみならず、各種リムーバブルメモリや、ＭＤ、ＭＯ、ＦＤ、ＣＤ−ＲＷ、ＤＶＤ−Ｒ、ＤＶＤ−ＲＷなどのディスク形ディジタルデータ記録媒体など、各種のリームーバブルメディアが含まれる。したがって、本発明における記録装置も、ＣＤ−Ｒドライブに限定されず、ＭＤドライブ、ＭＯドライブ、ＦＤドライブ、ＣＤ−ＲＷドライブ、ＤＶＤ−Ｒドライブ、ＤＶＤ−ＲＷドライブなどの各種記録装置（記録再生装置）が含まれる。
【００４１】
【発明の効果】
以上のように、請求項１記載の記録方法によれば、記録データの記録時に、記録データの読出しが許可される再生装置を特定するための装置特定用データを、記録媒体に記録した記録データの読出しよりも先に再生装置によって読み出されて再生装置と装置特定用データに基づいて特定される再生装置との同一性を判別するための判別用プログラム内に分散させた状態でその判別用プログラムと共に記録することにより、認証処理用のＩＤなどを記録媒体に予め記録させておく工程を不要にできるため、記録媒体の製造コストを低減することができる。また、判別用プログラムの読出しに対応していない再生装置に対しては、所定のエラーを発生させ、判別用プログラムの読出しに対応し、かつ判別用プログラムの記述内容を判読することができない再生装置に対しては、判別用プログラムの読出しが完了した時点で再生処理を終了させることができる。これにより、この種の再生装置に対しては、記録データを確実に保護することができる。さらに、判別用プログラムの記述内容を判読することが可能で、かつ記録媒体に記録されている装置特定用データによって特定される再生装置以外の再生装置に対しては、判別用プログラムに従って同一性を判別させることにより、記録媒体へのアクセスや記録データの読出しを確実に禁止することができる。これにより、簡易な記録方法でありながら、記録データの不正な読み書きを確実に防止することができる。さらに、装置特定用データと判別用プログラムとを別個独立したファイルとして記録する記録方法と比較して、装置特定用データの解析が困難になるため、記録データの不正な読み書きをより確実に防止することができる。
【００４２】
また、請求項２記載の記録方法によれば、記録データの読出しが許可される再生装置に対して付与された識別用ＩＤを装置特定用データとして記録することにより、装置特定用データとして記録されている識別用ＩＤが、記録データの再生を行おうとしている再生装置に付与されているか否かを判別するだけで、その再生装置が、記録データの読出しを許可された再生装置であるか否かを判別することができるため、記録データの再生時に確実かつ容易に認証処理を行うことができる。
【００４３】
また、請求項３記載の記録媒体によれば、記録データの記録時に、記録データと、装置特定用データと、判別用プログラムとが記録されるため、製造時に装置特定用データが予め記録された記録媒体と比較して、その製造コストを低減しつつ、記録データの不正な読み書きを防止することができる。
【００４４】
さらに、請求項４記載の記録装置によれば、装置特定用データを記憶する特定用データ記憶部と、判別用プログラムを記憶するプログラム記憶部と、記録媒体に対して記録データを記録する際に、記録媒体に記録した記録データの読出しよりも先に再生装置によって読み出されて再生装置と装置特定用データに基づいて特定される再生装置との同一性を判別するための判別用プログラム内に装置特定用データを分散させた状態でその判別用プログラムと共に記録媒体に記録する記録制御部とを備えたことにより、この記録装置を用いて記録データを記録すれば、判別用プログラムの読出しに対応していない再生装置に対しては、所定のエラーを発生させ、判別用プログラムの読出しに対応し、かつ判別用プログラムの記述内容を判読することができない再生装置に対しては、判別用プログラムの読出しが完了した時点で再生処理を終了させることができる。これにより、この種の再生装置に対しては、記録データを確実に保護することができる。また、判別用プログラムの記述内容を判読することが可能で、かつ記録媒体に記録されている装置特定用データによって特定される再生装置以外の再生装置に対しては、判別用プログラムに従って同一性を判別させることにより、記録媒体へのアクセスや記録データの読出しを確実に禁止することができる。また、この記録装置を用いて記録データを記録することにより、認証処理用のＩＤなどを記録媒体に予め記録させておく工程を不要にできるため、記録媒体の製造コストを低減することができる。さらに、装置特定用データと判別用プログラムとを別個独立したファイルとして記録する記録装置と比較して、装置特定用データの解析が困難になるため、不正な読み書きをより確実に防止することができるように記録データを記録することができる。
【００４５】
また、請求項５記載の記録装置によれば、記録データの読出しが許可される再生装置に対して付与された識別用ＩＤを装置特定用データとして特定用データ記憶部に記憶させたことにより、記録媒体に記録されている識別用ＩＤと同一の識別用ＩＤが付与されていない再生装置に対しては、判別用プログラム従って同一性を判別させることにより、記録媒体へのアクセスや記録データの読出しを確実に禁止することができる。
【００４６】
さらに、請求項６記載の記録装置によれば、再生装置の製造時にその再生装置に対して個別的に付与された装置管理番号、再生装置におけるデータ入出力インタフェース部に対して個別的に付与されたインタフェース管理番号、およびデータ入出力インタフェース部の動作を制御するための制御プログラムに対して個別的に付与されたプログラム管理番号のいずれかを識別用ＩＤとして特定用データ記憶部に記憶させることにより、専用の識別用ＩＤを装置特定用データとして別途付与する構成と比較して、識別用ＩＤを記憶する専用の記憶手段を不要にできるため、記録装置の製造コストを低減することができる。また、この種の管理番号には同一の番号が存在しないため、この管理番号を識別用ＩＤとして用いることで、記録データの不正な読み書きを確実に防止することができる。
【００４７】
また、請求項７記載の記録装置によれば、特定用データ記憶部が特定用データ入力部を介して入力された装置特定用データを記憶することにより、記録媒体に対して記録データを記録する記録装置以外の再生装置であっても特定の再生装置に対してのみ再生可能に記録データを記録することができる。
【００４８】
さらに、請求項８記載の記録装置によれば、記録データ、判別用プログラムおよび装置特定用データを読み出すデータ読出し部と、当該記録装置と装置特定用データに基づいて特定される再生装置との同一性を判別する判別部と、判別結果毎に予め規定された所定処理を実行する制御部とを備えたことにより、記録データの記録時に、当該記録装置に関する装置特定用データと判別用プログラムとを記録媒体に記録させておくことで、その記録データを当該記録装置のデータ読出し部を介して読み出して、パーソナルコンピュータなどの外部装置に出力することもできる。
【００４９】
また、請求項９記載の記録装置によれば、データ読出し部を介して記録媒体から読み出した記録データに基づく再生を実行可能に構成したことにより、当該記録装置に関する装置特定用データと判別用プログラムとを記録媒体に記録させておくことで、その記録データを当該記録装置で読み出して再生することもできる。
【図面の簡単な説明】
【図１】本発明の実施の形態に係る記録再生装置１の構成を示すブロック図である。
【図２】光ディスクＯＤのデータ記録領域１１を説明するための説明図である。
【図３】記録再生装置１による光ディスクＯＤへの記録処理を示すフローチャートである。
【図４】汎用のＣＤプレーヤによる光ディスクＯＤの再生時に実行される再生処理１を示すフローチャートである。
【図５】記録再生装置１による光ディスクＯＤの再生時に実行される再生処理２を示すフローチャートである。
【図６】記録再生装置１以外のＣＤ−Ｒドライブによる光ディスクＯＤの再生時に実行される再生処理３を示すフローチャートである。
【符号の説明】
１  記録再生装置
２  データ入出力部
３  データ記録読出し部
４  操作部
５  制御部
６  ＥＥＰＲＯＭ
８  ＲＯＭ
Ｄｄ  記録データ
Ｄｐ  認証プログラムデータ
ＤＰＳ  認証プログラムデータ
Ｄｓ  シリアル番号データ
Ｄｘ  管理データ
ＯＤ  光ディスク
ＰＣ  パーソナルコンピュータ（パソコン）
【図１】
0003569226.tif 000002
【図２】
0003569226.tif 000003
【図３】
0003569226.tif 000004
【図４】
0003569226.tif 000005
【図５】
0003569226.tif 000006
【図６】
0003569226.tif 000007